(57)【要約】      （修正有）【課題】防犯効果に優れた操作具を提供する。【解決手段】取付け基体５と、この取付け基体に支軸１９を介して回動自在に設けられた操作部材２０とから成る開閉体用の操作具に於いて、取付け基体は、一端部分６から相対向するように延出形成された両側板部分８と、この両側板部分の内側に突出形成されかつ該両側板部分の外面からは軸端が見えない固定の軸受け部及び該固定軸受け部の軸方向に上下一組の開口部１０を有する連設部分９とから成り、一方、操作部材は、その基端部分に開口部に遊嵌合する可動の軸受け部２３を有し、さらに、支軸は連設部分の一側面の縦溝１４を介して固定・可動の軸受け部にそれぞれ差し込まれた状態で操作部材を軸支している。【選択図】図８
2008144534.tif 000002
【特許請求の範囲】
【請求項１】
取付け基体と、この取付け基体に支軸を介して回動自在に設けられた操作部材とから成る開閉体用の操作具に於いて、前記取付け基体は、一端部分から相対向するように延出形成された両側板部分と、この両側板部分の内側に突出形成され、かつ、該両側板部分の外面からは軸端が見えない固定の軸受け部及び該固定軸受け部の軸方向に上下一組の開口部を有する連設部分とから成り、一方、前記操作部材は、その基端部分に前記開口部に遊嵌合する可動の軸受け部を有し、さらに、前記支軸は、前記連設部分の一側面の縦溝を介して前記固定・可動の軸受け部にそれぞれ差し込まれた状態で前記操作部材を軸支していることを特徴とする開閉体用操作具。
【請求項２】
請求項１に於いて、支軸は上下一組で構成され、互いに分離した状態で固定・可動の軸受け部にそれぞれ差し込まれていることを特徴とする開閉体用操作具。
【請求項３】
請求項１又は請求項２に於いて、連設部分は、背面側に段差状に落ち込むように連設し、該連設部分には支軸用の規制突片部を有するストッパーが固定されていることを特徴とする開閉体用操作具。
【請求項４】
請求項１に於いて、操作部材の可動軸受けの外面には、錠箱内に入り込む駆動片部が突出形成されていることを特徴とする開閉体用操作具。
【請求項５】
請求項１に於いて、取付け基体は、さらに、連設部分に曲面状に連設する板状部分を有し、この板状部分の内面と操作部材の操作端部の内面との間には、複数本の指を差し込むことが可能な空間が設定されていることを特徴とする開閉体用操作具。
【発明の詳細な説明】
【技術分野】
【０００１】
本発明は、開閉体用操作具に関し、錠前の施錠機構や戸枠に設けた係止手段に関連付けて用いられるか否かを問わず、例えば家具の扉の壁面、建具の扉や引戸の壁面に取り付けられる開閉体用操作具に関する。
【背景技術】
【０００２】
引戸、扉、障子等の開閉体の壁面や縦框に固定された取付け座に支軸（固定軸又は回転軸）を介して回動自在に設けられた操作部材（例えば錠前におけるプッシュ、プル式の引手、障子の係合枠等）は、主に建具や錠前の技術的分野では、錠前の施錠機構の可動係合手段や戸枠に設けた固定係止手段に関連付けて用いられている。
【０００３】
例えば特許文献１の図３には、障子の縦框にコ字形状の取付け基体を、固着具を介して固定し、この取付け基体の上下に相対向する支持腕部分には、垂直軸を介して矩形枠状の引手部材が回動自在に軸支されている。この引手部材は、障子を閉じた際に戸枠側の枠材に対して所要量回動することにより、枠材に固定した鉤状係止具に係止する。したがって、特許文献１の操作部材（引手部材）は、障子の開放動作を規制するロック手段と使用される反面、前記鉤状係止具から引手部材を外した場合には、障子の開閉する操作手段として用いられる。
【０００４】
また、特許文献２の図７には、扉の壁面に固定されるハンドル用支持座に垂直方向に貫通する軸孔を形成し、この軸孔に支持座の外周面の外から棒状の支持軸を差込み、ハンドルの軸部に一体的に係合する揺動軸を軸支する事項が記載されている。
【０００５】
このように、従来、「開閉体に対して固定的に取り付けられる取付け基体と、この取付け基体に支軸を介して回動自在に設けられた操作部材とから成る開閉体用の操作具」に於いては、取付け基体の貫通軸孔に棒状支軸の外端面が見えるように差し込まれているのが現状である。
【特許文献１】特開２００５−１３３３８３号公報
【特許文献２】特開２００５−２６４４８７号公報
【発明の開示】
【発明が解決しようとする課題】
【０００６】
特許文献１、特許文献２等に記載されている構成の開閉体用の操作具は、支軸の外端面が露呈しているので、操作部材を軸支している箇所が外から直ちに判る。したがって、取付け基体から軸支を簡単に外すことができるので、短時間に操作部材が抜き取られる恐れがある。
【０００７】
そこで、本発明の第１の目的は、操作部材を軸支する軸の外端面が見えない操作具を提案することである。なお、意匠上の審美性の観点からも、軸の外端面が見えない方が、いわゆる格好が良い。第２の目的は、付随的目的であるが、扉の壁面に取付け基体を取り付ける場合には、該取付け基体の両側板部分の出寸法（壁面から外側へ突出する量）を極力小さくすることができることである。
【課題を解決するための手段】
【０００８】
本発明の開閉体用操作具は、取付け基体と、この取付け基体に支軸を介して回動自在に設けられた操作部材とから成る開閉体用の操作具に於いて、前記取付け基体は、一端部分から相対向するように延出形成された両側板部分と、この両側板部分の内側に突出形成され、かつ、該両側板部分の外面からは軸端が見えない固定の軸受け部及び該固定軸受け部の軸方向に上下一組の開口部を有する連設部分とから成り、一方、前記操作部材は、その基端部分に前記開口部に遊嵌合する可動の軸受け部を有し、さらに、前記支軸は、前記連設部分の一側面の縦溝を介して前記固定・可動の軸受け部にそれぞれ差し込まれた状態で前記操作部材を軸支していることを特徴とする。
【０００９】
上記構成に於いて、連設部分は、背面側に段差状に落ち込むように連設し、該連設部分には支軸用の規制突片部を有するストッパーが固定されていることを特徴とする。
【発明の効果】
【００１０】
（１）操作部材を軸支している箇所が外部から直ちに判らない。したがって、故意に操作部材を取付け基体から取り外そうとしても、そう簡単には支軸を取付け基体から抜き取ることができないので、防犯効果に優れている。また、意匠上も格好がいい。
（２）実施例によっては、扉の壁面に取付け基体を取り付ける場合、該取付け基体の両側板部分の出寸法（壁面から外側へ突出する量）を極力小さくすることができる。
（３）また、実施例によっては、錠箱内の施錠機構と関連付けて使用することができる。
【発明を実施するための最良の形態】
【００１１】
以下、図１乃至図９に示す本発明を実施するための最良の形態（第１実施例）により説明する。
【００１２】
（１）発明の実施の環境
図１、図２は発明の実施の環境を示す各概略説明図である。図１、図２に於いて、１は水平方向へ直線移動する引戸、水平方向に回転する扉など建具としての開閉体、１ａは開閉体１の内壁面、１ｂはその外壁面である。本実施例では、図２で示すように、扉１の内壁面１ａに形成された貫通孔２及び切欠部３を介して、該内壁面１ａに内側の開閉体用操作具Ｘが固定的に装着される。
【００１３】
操作具Ｘ、Ｘ１は、錠前の錠箱４に内装された施錠機構の係合片（省略）に係合するように（関連付けて）用いられるか否かを問わず、例えば家具の扉の外壁面、建具の扉や引戸の内外の壁面にそれぞれ一体又は別体に取り付けられる開閉体用操作具として用いられる。
【００１４】
望ましくは、操作具Ｘは、図２で示すように、その可動軸受けに連設形成された駆動片を錠箱４内の施錠機構の係合片に係合するように位置付け、扉１の内壁面１ａの切欠部３を介して壁面１ａに取り付ける。
【００１５】
一方、錠箱内の施錠機構の係合片に関連付けない場合には、前記駆動片は不要である。後者の場合には、操作部材２０は扉１を開閉するためのハンドル、又は開閉体１の縦枠に固定した鉤状係止具に係止させる係合枠状のロック手段として使用される。
【００１６】
しかして、開閉体用操作具Ｘ、Ｘ１は、開閉体１の壁１ａ、１ｂに対して固定的に取り付けられる取付け基体５と、この取付け基体５に支軸１９を介して回動自在に設けられた板状、枠状、環状等の操作部材２０とから成る。
【００１７】
なお、図２に於いて、仮想線で示す外側の開閉体用操作具Ｘ１は、扉１の外壁面１ｂに形成された貫通孔２及び切欠部３を介して、該外壁面１ｂに固定的に装着される。
本実施例の開閉体用操作具Ｘは、板状の取付け基体５の裏側に突出形成された複数本のメネジを有する取付け柱に外側の開閉体用操作具Ｘ１側から螺着する固着具（図示しない）を介して、同一構成の開閉体用操作具Ｘ１に結合する。
【００１８】
（２）操作具Ｘの取付け基体５
図１は取付け基体５の正面図（背面側の扉、ストッパー等は仮想線）、図２は操作具Ｘの横断面説明図（錠箱、他方の操作具等は仮想線）、図３は正面分解図、図４は図１を基準とした背面図、図５は背面分解図、図６は背面視からの分解斜視図、図７は支軸を取付け基体５の切欠部から固定・可動の軸受け部に差し込む説明図、図８は操作部材を軸支した状態を正面視から見た説明図（操作部材は可動の軸受け部を除き仮想線）、図９は操作部材を所定量回転した説明図である。まず、図３を基準図（正面図）として、取付け基体５の基本的な構成部位を説明する。
【００１９】
図３では、外形線が矩形の取付け基体５が大きく示されている。そして、右側に取付け基体５よりも小さい縦長の板状操作部材２０が、また、取付け基体５上方と下方には一対の支軸１９、１９が、さらに、取付け基体５の左側には支軸用のストッパー３０がそれぞれ示されている。
【００２０】
取付け基体５は、矩形の板体に、（ａ）正面視逆向きコ字形状の枠部分と、（ｂ）この枠部分内に一端部分から段差状に連設し、かつ、縦方向に支軸用の固定軸受け部を有する縦板状の連設部分と、（ｂ）この連設部分から他端部まで連設するやや幅広の縦板部分とを有し、これらの各部位に、扉１の壁面１ａに対する取り付け機能、切欠部分から差し込んだ支軸１９を支持する機能、軸受け部に支持された支軸１９の端面を隠す機能、逆向きコ字形状の枠部分内に操作部材２０を納める機能、複数本の指を空間部分に差し込むことができる機能、操作部材２０を回動自在に装着する機能、回転した操作部材２０を所定の位置で受け止める機能等を付与している。
【００２１】
まず、符号６は垂直方向の一端部分で、この一端部分６の表面は縦長の板状に見える。一方、一端部分６の裏面は、図２で示すように扉１の内壁面１ａに面接触する。また、一端部分６の裏面の上下端部寄りの部位には、メネジを有する取付け柱７がそれぞれ突出形成されている（図５）。取付け柱７は、前述したように扉１の壁面１ａの貫通孔２に差し込まれる。
【００２２】
次に、８は一端部分６の上下部位から延出形成された両側板部分で、これらの両側板部分８は両腕或いは両手が相対向するように延びている。腕状の場合には、シンプルな長板形状となり、一方、本実施例のようにやや両手形状の場合には、適宜部位が幅広に形成される。
【００２３】
両側板部分８の形状は特に限定するものではないが、例えば図２、図６で示すように、正面側の辺が、一端部分６に連設する部位から他端部分に至るまで緩やかな山形形状になっている。取付け基体５の他端部分（両側板部分８の右端部）の裏面と一端部分６（両側板部分８の左端部）の裏面は、同一水平線上に位置する。したがって、図２で示すように操作具Ｘを壁面１ａに取り付けた場合には、一端部分６の裏面と他端部分のそれは壁面１ａに面接触状態にぴったりと接合する。
【００２４】
次に、９は、少なくとも、両側板部分８の内側或いは一端部分６の内側のいずれかに突出形成された縦長板状連設部分で、この連設部分９は、本実施例では、両側板部分８の内壁面及び一端部分６の内壁面に段差状に落ち込むように連設している。ここで、段差状に落ち込む一例は、板状連設部分９の表面９ａが、一端部分６の表面よりも背面側に落ち込むように位置し、かつ、連設部分９の裏面９ｂが一端部分６の裏面よりも後側に多少突出している。
【００２５】
しかして、１０は、連設部分９の上下部位にそれぞれ形成された上下一対（一組）の開口部で、本実施例では小矩形状に形成されている。この開口部１０に操作部材２０の裏面の上下部位に突出形成された上下一対の可動軸受け部が遊嵌合する。
【００２６】
また、１１は連設部分９の中央部寄りの部位にそれぞれ横方向に形成された複数の嵌合部（溝、切欠など）で、本実施例では、上下一対の嵌合切欠である。これらの切欠状嵌合部１１には、支軸用ストッパー３０の垂直板部３１の上下端部にそれぞれ設けた規制突片部３２が入り込む。
【００２７】
また、連設部分９の両側板部分８の内壁面にそれぞれ連設する上下端部の部位と、前記開口部１０と切欠状嵌合部１１との間の所要部位には、複数個の固定軸受け部１２、１２Ａがそれぞれ形成されている。
【００２８】
付言すると、上下一対の開口部１０と複数個の固定軸受け部１２、１２Ａは支軸１９を支持することができるように軸芯上に揃っている。したがって、支軸１９は、その軸芯上に位置する短い固定軸受け部１２と長い固定軸受け部１２Ａに対して、開口部１０を通るように軸架される。さらに、連設部分９の上下の開口部１０にそれぞれ臨む部位には、長い固定軸受け部１２Ａの軸孔と連通する支軸用の切欠状逃がし部１３がそれぞれ形成されている。
【００２９】
ここで、図５及び図６を参照にして連設部分９の裏面９ｂを説明する。裏面９ｂは、前述したように一端部分６の裏面よりも後側に突出している。裏面９ｂに形成した切欠、開口、溝等の細部的事項については、図面の表示を割愛している。
【００３０】
さて、裏面９ｂからは、前述した開口部１０及び切欠状嵌合部１１が見える。その他に、上下一対の切欠状嵌合部１１に直交する支軸差込み用縦溝１４が見える。縦溝１４の長さは、連設部分９の表面９ａに形成した切欠状逃がし部１３の長さや開口部１０の大きさを考慮して自由に設定することができる。縦溝１４の長さに関する数値は特に意味を有するものではないが、図７で示すように、支軸１９を指で摘んで対応する上下方向の固定軸受け部１２、１２Ａに差し込むことができる長さが必要である。本実施例の縦溝１４は、上方の開口部１０の付近から下方の開口部１０の付近まで一連に形成されている。
【００３１】
また、連設部分９の中央部には、小ネジ穴１５が形成されている。ここで、図４と図５を比較すると明らかなように、支軸用のストッパー３０は、その規制突片部３２を上下一対の切欠状嵌合部１１に差し込んだ状態で、かつ、その垂直板部３１が縦溝１４の中央部をカバーするようにして、連設部分９の裏面９ｂに固着具１８を介して固定されている。
本実施例では、上下に位置する支軸１９の内側端面は、切欠状嵌合部１１にそれぞれ入り込んだ規制突片部３２に支持されていることから、支軸１９は上下方向に移動しない。
【００３２】
このように、上下に一組に分割された２本の支軸１９は、上側の上下方向の固定軸受け部１２、１２Ａと、下側の上下方向の固定軸受け部１２、１２Ａに対して、一連の縦溝１４又は設計如何によっては別個に形成された上下の縦溝１４を介して、取付け基体５の一側面（本実施例では裏側）から差し込まれ、かつ、操作部材２０の可動軸受け部２３を貫通するので、上下一組で構成された支軸１９の外端面は両側板部分８の外面８ａから見えない。
【００３３】
さらに、取付け基体５は、両側板部分８乃至連設部分８に曲面状に連設する板状部分（底部分）１６を有し、この板状部分１６の内面と操作部材２０の自由端部分（操作端部）２２の内面との間には、複数本の指を差し込むことが可能な空間１７が設定されている。
【００３４】
（３）操作具Ｘの操作部材２０
図３には操作部材２０の表面２０ａが、一方、図５、図６には操作部材２０の裏面２０ｂが表れている。操作具Ｘを構成する操作部材２０は、取付け基体５の両側板部分８の内側に位置する大きさに形成され、その基端部分２１が支軸１９に軸支されている。取付け基体５の形状は特に限定するものではないが、意匠上の審美感を考慮しながら、その自由端部分２２は指を掛け易くする工夫が成されている（幅広くしている）。
【００３５】
しかして、図２、図６等で示すように、基端部分２１の裏面２０ｂの上下部位には、上下一対の可動の軸受け部２３が突出形成されている。これらの可動軸受け部２３は、貫通状の垂直軸孔２３ａを有し、図７及び図８で示すように、取付け基体５の開口部１０に遊嵌合する。そして、各可動軸受け部２３の外面には、錠箱内に入り込む所要長さの舌片状駆動片部２４がそれぞれ突出形成されている。
【００３６】
（４）組み付け
取付け基体５に操作部材２０を組み付ける場合には、図６で示すように、取付け基体５の表側から取付け基体５の開口部１０に向けて、矢印Ａ方向に、操作部材２０の駆動片部２４を差し込むようにする。上下の駆動片部２４を対応する開口部１０に差し込んだならば、各可動軸受け部２３を開口部１０内に位置付けながら、その垂直軸孔２３ａと取付け基体５の固定軸受け部１２、１２Ａとを一致させる。
【００３７】
そこで、固定軸受け部１２、１２Ａと可動軸受け部２３とが軸芯上に一致したならば、取付け基体５の裏側（図６の矢印Ｂ方向）から、各支軸１９をそれぞれ嵌め込む。支軸１９は、前述したように、縦溝１４を介して固定軸受け部１２、１２Ａと可動軸受け部２３に差し込まれる（図７）。そして、最後に支軸用ストッパー３０の規制突片部３２を切欠状嵌合部１１に差込み、固着具１８で該支軸用ストッパー３０を取付け基体５の裏面に固定する。
【００３８】
本実施例では、上下の支軸１９は、互いに分離した状態で固定・可動の軸受け部にそれぞれ差し込まれ、かつ、ストッパー３０に上下動しないように規制されている。
【実施例】
【００３９】
発明の実施の形態で示した実施例に於いて、連設部分９は段差状に落ち込んでいる旨を説明したが、この一例は、発明の他の目的（取付け基体５の出寸法を小さくする）を考慮したものである。
【００４０】
図１０及び図１１は、念のために、取付け基体を設計変更した実施例（第２実施例、符号は便宜上、第１実施例と同じ。）を示す。図１０及び図１１で示すように、取付け基体５Ａは、普通一般の取付け基体（取付け座）と同様に、一端部６から他端部に至るまで直線状に形成されている。つまり、一端部６から他端部に至る間に、扉１の内壁面１ａよりも内部に入り込む段差状の連設部分９が存在しない。したがって、第２実施例のような取付け基体５Ａに本発明を適用した場合には、取付け基体５Ａの外面６ａから見えない支軸１９の位置は、扉１の内壁面１ａよりも外側に位置する。
【００４１】
なお、本発明は、操作部材２０を、特許文献１のように係合枠状に形成し、この係合枠状部を、開閉体１の縦枠に固定した鉤状係止具に係止させ、ロック手段として使用することもできる。
【産業上の利用可能性】
【００４２】
本発明は、主に錠前や建具の業界で利用される。
【図面の簡単な説明】
【００４３】
図１乃至図９は本発明の最良の実施例（第１実施例）を示す各説明図。図１０及び図１１は本発明の第２実施例を示す各説明図。
【図１】発明の実施の環境を示す各概略説明図（正面視）。
【図２】発明の実施の環境を示す各概略説明図（横端面視）。
【図３】正面分解図。
【図４】図１を基準とした背面図。
【図５】背面分解図。
【図６】背面視からの分解斜視図。
【図７】支軸を取付け基体の縦溝から固定・可動の軸受け部に差し込む説明図。
【図８】操作部材を軸支した状態を正面視から見た説明図（操作部材は可動の軸受け部を除き仮想線）。
【図９】操作部材を所定量回転した説明図。
【図１０】第２実施例の断面説明図。
【図１１】同概略説明図。
【符号の説明】
【００４４】
Ｘ、Ｘ１…操作具、1…開閉体、１ａ、１ｂ…開閉体の壁面、２…貫通孔、３…切欠部、４…錠箱、５、５Ａ…取付け基体、６…一端部分、６ａ…取付け基体５Ａの外面、７…取付け柱、８…両側板部分、８ａ…両側板部分の外面、９…連設部分、９ａ…連設部分の表面、９ｂ…連設部分９の裏面、１０…開口部、１１…切欠状嵌合部、１２、１２Ａ…固定軸受け部、１３…支軸用の切欠状逃がし部、１４…支軸差込み用縦溝、１５…小ネジ穴、１６…板状部分（底部分）、１７…空間、１８…固着具、１９…支軸、２０…操作部材、２０ａ…表面、２０ｂ…裏面、２１…基端部分、２２…自由端部分（操作端部）、２３…可動軸受け部、２３ａ…垂直軸孔、２４…駆動片部、３０…ストッパー、３２…規制突片部。
【図１】
2008144534.tif 000003
【図２】
2008144534.tif 000004
【図３】
2008144534.tif 000005
【図４】
2008144534.tif 000006
【図５】
2008144534.tif 000007
【図６】
2008144534.tif 000008
【図７】
2008144534.tif 000009
【図８】
2008144534.tif 000010
【図９】
2008144534.tif 000011
【図１０】
2008144534.tif 000012
【図１１】
2008144534.tif 000013